(57)【要約】【課題】多数の物流品を積載されていても特定する物品を容易に確認ができ、物流管理センタのオペレータが物品や搬送依頼した一般ユーザは、対象とする物品と直接通信することにより、位置情報などもリアルタイムに取得することを可能にする。【解決手段】ＩＰアドレスの中に、物品それぞれに付与した品目コードを埋め込んでおき、搬送する物流品に付与する品目コードをＩＰアドレスに埋め込み、当該ＩＰアドレスが内蔵されたサーバタイプの通信機である物品管理装置を物流品に装着し、物品に関する問い合わせを行う際に、ＩＰアドレスを用いて、物品の現在ある場所の特定をインターネットで行う。【選択図】　　　図２
2004018238.tif 000002
【特許請求の範囲】
【請求項１】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバであって、
前記各物流拠点が取り扱って送信した物流品の品目コードが埋め込まれたＩＰアドレスに対応付けられたデータを受信するＩＰアドレスデータ受信手段と、
受信した前記ＩＰアドレスに対応付けられたデータを格納するＩＰアドレス／品目コードデータベースと、
ユーザ端末または、オペレータ端末から品目コードを受信する品目コード受信手段と、
受信した前記品目コードに基づいて前記ＩＰアドレス／品目コードデータベースを検索して該品目コードに対応する物流品のＩＰアドレスを取得して、該ＩＰアドレスを物品情報取得要求として前記無線通信網に送信する物品情報取得要求送信手段と、
前記物品情報取得要求に対応する物品情報を取得して、前記ユーザ端末または、前記オペレータ端末に送信する物品情報送信手段と、を有することを特徴とする物品管理サーバ。
【請求項２】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置であって、
ＧＰＳ（Ｇｌｏｂａｌ　Ｐｏｓｉｔｉｏｎｉｎｇ　Ｓｙｓｔｅｍ）　衛星から位置情報を示す電波を受信する位置情報取得手段と、
前記位置情報取得手段で取得した位置情報を格納する位置情報データベースと、
前記物流品を搬送するときに、前記物流品に装着された物品管理装置と定期的に無線通信を行う通信手段と、
前記通信手段により、物流品の品目コードが埋め込まれたＩＰアドレスを取得するＩＰアドレス取得手段と、
前記ＩＰアドレス取得手段で取得した前記ＩＰアドレスを格納する物品情報データベースと、
前記物品管理サーバから物流品確認の問い合わせであるＩＰアドレスによる物品情報取得要求を無線通信網を介して受信する物品情報取得要求受信手段と、
前記物品情報取得要求に含まれるＩＰアドレスに基づいて、前記物品情報データベースを検索して、受信したＩＰアドレスと一致するＩＰアドレスを取得するＩＰアドレス検索手段と、
前記位置情報データベースから前記物流品の位置情報を検索する位置情報検索手段と、
検索された前記ＩＰアドレスに埋め込まれている品目コードを物品情報に変換する変換手段と、
変換された前記物品情報及び、検索された前記位置情報を前記物品管理サーバに前記無線通信網を介して送信する物品情報送信手段と、を有することを特徴とする運送物品管理装置。
【請求項３】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続される、該搬送車両に搭載される物品管理装置であって、
前記搬送車両に前記物流品が積載される際に、入力された該物流品の品目コードをＩＰアドレスに埋め込むＩＰアドレス変換手段と、
前記ＩＰアドレスを格納する物品情報データベースと、
前記物流拠点が取り扱った物流品に対する物品情報取得要求のＩＰアドレスと前記物品情報データベースに格納されているＩＰアドレスが一致する場合に、該物品情報取得要求を受信する物品情報取得要求受信手段と、
前記ＩＰアドレスに埋め込まれている品目コードを物品情報に変換する物品情報変換手段と、
変換された前記物品情報を前記物品管理サーバに送信する物品情報送信手段と、からなる通信機であり、前記物流品に装着されることを特徴とする物品管理装置。
【請求項４】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理するための、物品管理サーバ、運送物品管理装置及び物品管理装置からなる物流管理システムであって、
前記物品管理サーバは、
前記各物流拠点が取り扱って送信した物流品の品目コードが埋め込まれたＩＰアドレスに対応付けられたデータを受信するＩＰアドレスデータ受信手段と、
受信した前記ＩＰアドレスに対応付けられたデータを格納するＩＰアドレス／品目コードデータベースと、
ユーザ端末または、オペレータ端末から品目コードを受信する品目コード受信手段と、
受信した前記品目コードに基づいて前記ＩＰアドレス／品目コードデータベースを検索して該品目コードに対応する物流品のＩＰアドレスを取得して、該ＩＰアドレスを物品情報取得要求として前記無線通信網に送信する物品情報取得要求送信手段と、
前記物品情報取得要求に対応する物品情報を取得して、前記ユーザ端末または、前記オペレータ端末に送信する物品情報送信手段と、を有し、
前記運送物品管理装置は、
ＧＰＳ衛星から位置情報を示す電波を受信する位置情報取得手段と、
前記位置情報取得手段で取得した位置情報を格納する位置情報データベースと、
前記物流品を搬送するときに、前記物流品に装着された物品管理装置と定期的に無線通信を行う通信手段と、
前記通信手段により、物流品の品目コードが埋め込まれたＩＰアドレスを取得するＩＰアドレス取得手段と、
前記ＩＰアドレス取得手段で取得した前記ＩＰアドレスを格納する第１の物品情報データベースと、
前記物品管理サーバから物流品確認の問い合わせであるＩＰアドレスによる物品情報取得要求を無線通信網を介して受信する物品情報取得要求受信手段と、
前記物品情報取得要求に含まれるＩＰアドレスに基づいて、前記物品情報データベースを検索して、受信したＩＰアドレスと一致するＩＰアドレスを取得するＩＰアドレス検索手段と、
前記位置情報データベースから前記物流品の位置情報を検索する位置情報検索手段と、
検索された前記ＩＰアドレスに埋め込まれている品目コードを物品情報に変換する変換手段と、
変換された前記物品情報及び、検索された前記位置情報を前記物品管理サーバに前記無線通信網を介して送信する物品情報送信手段と、を有し、
前記物品管理装置は、
前記物流品が前記搬送車両に積載される際に、入力された前記物流品の品目コードをＩＰアドレスに埋め込むＩＰアドレス変換手段と、
前記ＩＰアドレスを格納する第２の物品情報データベースと、
前記物流拠点が取り扱った物流品に対する物品情報取得要求のＩＰアドレスと前記第２の物品情報データベースに格納されているＩＰアドレスが一致する場合に、該物品情報取得要求を受信する物品情報取得要求受信手段と、
前記ＩＰアドレスに埋め込まれている品目コードを物品情報に変換する物品情報変換手段と、
変換された前記物品情報を前記物品管理サーバに送信する物品情報送信手段と、からなる通信機であり、各々の物流品に装着されることを特徴とする物流品管理システム。
【請求項５】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおける物流管理方法において、
前記各物流拠点が取り扱って送信した物流品の品目コードが埋め込まれたＩＰアドレスに対応付けられたデータを無線通信網により受信し、
受信した前記ＩＰアドレスに対応付けられたデータをＩＰアドレス／品目コードデータベースに格納し、
ユーザ端末または、オペレータ端末から品目コードを受信し、
受信した前記品目コードに基づいて前記ＩＰアドレス／品目コードデータベースを検索して該品目コードに対応する物流品のＩＰアドレスを取得して、該ＩＰアドレスを物品情報取得要求として前記無線通信網に送信し、
前記物品情報取得要求に対応する物品情報を取得して、前記ユーザ端末または、前記オペレータ端末に送信することを特徴とする物品管理方法。
【請求項６】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置における物流管理方法において、
ＧＰＳ衛星から位置情報を示す電波を受信し、
前記位置情報を位置情報データベースに格納し、
前記物流品を搬送するときに、前記物流品に装着された物品管理装置と定期的に無線通信を行い、物流品の品目コードが埋め込まれたＩＰアドレスを取得し、
取得した前記ＩＰアドレスを物品情報データベースに格納し、
前記物品管理サーバから物流品確認の問い合わせであるＩＰアドレスによる物品情報取得要求を無線通信網を介して受信し、
前記物品情報取得要求に含まれるＩＰアドレスに基づいて、前記物品情報データベースを検索して、受信したＩＰアドレスと一致するＩＰアドレスを取得し、
前記位置情報データベースから前記物流品の位置情報を検索し、
検索された前記ＩＰアドレスに埋め込まれている品目コードを物品情報に変換し、
変換された前記物品情報及び、検索された前記位置情報を前記物品管理サーバに前記無線通信網を介して送信することを特徴とする物流管理方法。
【請求項７】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される該物流品に装着された物品管理装置における物流管理方法において、
前記搬送車両に前記物流品が積載される際に、入力された該物流品の品目コードをＩＰアドレスに埋め込み、
前記ＩＰアドレスを物品情報データベースに格納し、
前記物流拠点が取り扱った物流品に対する物品情報取得要求のＩＰアドレスと前記物品情報データベースに格納されているＩＰアドレスが一致する場合に、該物品情報取得要求を受信し、
前記ＩＰアドレスに埋め込まれている品目コードを物品情報に変換し、
変換された前記物品情報を前記物品管理サーバに送信することを特徴とする物流管理方法。
【請求項８】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバとオペレータ端末とにより管理する物流管理方法において、
前記物流管理装置において、前記物流品の品目コードをＩＰアドレスに対応付けて埋め込み、
該品目コードが埋め込まれたＩＰアドレスを物品情報として、第１の物品情報データベースに蓄積し、
前記ＩＰアドレスが蓄積された前記物品管理装置を、搬送する前記物流品に装着し、
前記物品管理サーバにおいて、
無線通信網とインターネットとを接続し、
前記各物流拠点が取り扱って送信した物流品の品目コードがＩＰアドレスに対応付けられたデータを前記無線通信網を介して受信して、ＩＰアドレス／品目コードデータベースに蓄積し、
前記オペレータ端末やユーザ端末から、予め通知されている品目コードを受信し、
受信した前記品目コードから前記ＩＰアドレス／品目コードデータベースを検索して、該品目コードに対応する物流品のＩＰアドレスを取得し、
取得したＩＰアドレスを含む物品情報取得要求を前記無線通信網を介して前記物品管理装置に送出し、
送出された前記物品情報取得要求のＩＰアドレスと一致するＩＰアドレスの物品管理装置において、該物品情報取得要求を受信し、
受信した前記ＩＰアドレスに基づいて、前記物品情報データベースを検索してＩＰアドレスを取得し、該ＩＰアドレスに埋め込まれている品目コードを物品情報に変換し、
変換された前記物品情報を前記物品管理サーバに送信し、
前記物品管理サーバにおいて、
前記物品情報を受信すると、前記オペレータ端末または、前記ユーザ端末に該物品情報を送信することを特徴とする物流管理方法。
【請求項９】
前記搬出車両に設置される運送物品管理装置において、
ＧＰＳ衛星から電波により受信した位置情報を位置情報データベースに蓄積し、
前記搬送車両に搭載した複数の前記物品管理装置と定期的に無線通信し、該複数の物品管理装置が蓄積している前記品目コードが埋め込まれたＩＰアドレスを入手し、
入手したＩＰアドレスを第２の物品情報データベースに蓄積し、
前記物品管理サーバから無線通信網を介してＩＰアドレスによる物品情報取得要求を受信し、
受信した前記物品情報取得要求のＩＰアドレスに基づいて前記第２の物品情報データベースを検索し、該ＩＰアドレスと一致するＩＰアドレスを取得し、
前記位置情報データベースに蓄積されている位置情報を取得し、
検索された前記ＩＰアドレスに埋め込まれている品目コードを物品情報に変換し、
変換された物品情報と前記位置情報を前記物品管理サーバに送信する、請求項８記載の物流管理方法。
【請求項１０】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおいて実行される物流管理プログラムであって、
前記各物流拠点が取り扱って送信した物流品の品目コードが埋め込まれたＩＰアドレスに対応付けられたデータを無線通信網により受信するステップと、
受信した前記ＩＰアドレスに対応付けられたデータをＩＰアドレス／品目コードデータベースに格納するステップと、
ユーザ端末または、オペレータ端末から品目コードを受信するステップと、
受信した前記品目コードに基づいて前記ＩＰアドレス／品目コードデータベースを検索して該品目コードに対応する物流品のＩＰアドレスを取得して、該ＩＰアドレスを物品情報取得要求として前記無線通信網に送信するステップと、
前記物品情報取得要求に対応する物品情報を取得して、前記ユーザ端末または、前記オペレータ端末に送信するステップと、からなることを特徴とする物品管理プログラム。
【請求項１１】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置において実行される物流管理プログラムであって、
ＧＰＳ衛星から位置情報を示す電波を受信するステップと、
前記位置情報を位置情報データベースに格納するステップと、
前記物流品を搬送するときに、前記物流品に装着された物品管理装置と定期的に無線通信を行い、物流品の品目コードが埋め込まれたＩＰアドレスを取得するステップと、
取得した前記ＩＰアドレスを物品情報データベースに格納するステップと、
前記物品管理サーバから物流品確認の問い合わせであるＩＰアドレスによる物品情報取得要求を無線通信網を介して受信するステップと、
前記物品情報取得要求に含まれるＩＰアドレスに基づいて、前記物品情報データベースを検索して、受信したＩＰアドレスと一致するＩＰアドレスを取得するステップと、
前記位置情報データベースから前記物流品の位置情報を検索するステップと、
検索された前記ＩＰアドレスに埋め込まれている品目コードを物品情報に変換するステップと、
変換された前記物品情報及び、検索された前記位置情報を前記物品管理サーバに前記無線通信網を介して送信するステップと、からなることを特徴とする物流管理プログラム。
【請求項１２】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される物流品に装着された物品管理装置において実行される物流管理プログラムであって、
前記搬送車両に積載される際に、入力された前記物流品の品目コードをＩＰアドレスに埋め込むステップと、
前記ＩＰアドレスを物品情報データベースに格納するステップと、
前記物流拠点が取り扱った物流品に対する物品情報取得要求のＩＰアドレスと前記物品情報データベースに格納されているＩＰアドレスが一致する場合に、該物品情報取得要求を受信するステップと、
前記ＩＰアドレスに埋め込まれている品目コードを物品情報に変換するステップと、
変換された前記物品情報を前記物品管理サーバに送信するステップと、からなることを特徴とする物流管理プログラム。
【請求項１３】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおいて実行される物流管理プログラムを格納した記憶媒体であって、
前記各物流拠点が取り扱って送信した物流品の品目コードが埋め込まれたＩＰアドレスに対応付けられたデータを無線通信網により受信するステップと、
受信した前記ＩＰアドレスに対応付けられたデータをＩＰアドレス／品目コードデータベースに格納するステップと、
ユーザ端末または、オペレータ端末から品目コードを受信するステップと、
受信した前記品目コードに基づいて前記ＩＰアドレス／品目コードデータベースを検索して該品目コードに対応する物流品のＩＰアドレスを取得して、該ＩＰアドレスを物品情報取得要求として前記無線通信網に送信するステップと、
前記物品情報取得要求に対応する物品情報を取得して、前記ユーザ端末または、前記オペレータ端末に送信するステップと、からなるプログラムを格納したことを特徴とする物品管理プログラムを格納した記憶媒体。
【請求項１４】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置において実行される物流管理プログラムを格納した記憶媒体であって、
ＧＰＳ衛星から位置情報を示す電波を受信するステップと、
前記位置情報を位置情報データベースに格納するステップと、
前記物流品を搬送するときに、前記物流品に装着された物品管理装置と定期的に無線通信を行い、物流品の品目コードが埋め込まれたＩＰアドレスを取得するステップと、
取得した前記ＩＰアドレスを物品情報データベースに格納するステップと、
前記物品管理サーバから物流品確認の問い合わせであるＩＰアドレスによる物品情報取得要求を無線通信網を介して受信するステップと、
前記物品情報取得要求に含まれるＩＰアドレスに基づいて、前記物品情報データベースを検索して、受信したＩＰアドレスと一致するＩＰアドレスを取得するステップと、
前記位置情報データベースから前記物流品の位置情報を検索するステップと、
検索された前記ＩＰアドレスに埋め込まれている品目コードを物品情報に変換するステップと、
変換された前記物品情報及び、検索された前記位置情報を前記物品管理サーバに前記無線通信網を介して送信するステップと、からなるプログラムを格納したことを特徴とする物流管理プログラムを格納した記憶媒体。
【請求項１５】
物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該物流品に装着された物品管理装置において実行される物流管理プログラムを格納した記憶媒体であって、
前記搬送車両に積載される際に、入力された前記物流品の品目コードをＩＰアドレスに埋め込むステップと、
前記ＩＰアドレスを物品情報データベースに格納するステップと、
前記物流拠点が取り扱った物流品に対する物品情報取得要求のＩＰアドレスと前記物品情報データベースに格納されているＩＰアドレスが一致する場合に、該物品情報取得要求を受信するステップと、
前記ＩＰアドレスに埋め込まれている品目コードを物品情報に変換するステップと、
変換された前記物品情報を前記物品管理サーバに送信するステップと、からなるプログラムを格納したことを特徴とする物流管理プログラムを格納した記憶媒体。
【発明の詳細な説明】
【０００１】
【発明の属する技術分野】
本発明は、物品管理サーバ及び運送物品管理装置及び物品管理装置及び物流管理システム及び方法に係り、特に、物流拠点などにおいて、搬送する物流品を管理するための物品管理サーバ及び運送物品管理装置及び物品管理装置及び物流管理システム及び方法に関する。
【０００２】
【従来の技術】
従来の物流管理として、例えば、宅配便の場合、集荷営業所、配達営業所などの物流品の管理ポイントにおいて、物流品へ付与する品目コードを作業員が端末へ入力したり、あるいは、複数枚からなる伝票へ手入力し、入力により入手する複数枚からなる伝票を物流品に貼り付けると共に、控の伝票を保管している。
【０００３】
また、ユーザからの物流品に関する問い合わせでは、作業員が積載する物流品の中から該当の物流品を探し出して人的管理上での対応を行う。
【０００４】
【発明が解決しようとする課題】
しかしながら、上記従来の技術による物流品の管理では、搬送途中の集荷所で物流品を集荷し、再度別便で配送をするような場合には集荷所用の物流搬送控も必要となり、また、ユーザからの物流品に関する問い合わせに対しては、搬送ルートの各拠点へ連絡して該当物流品の所在を確認する方法であるため、作業員は、余計な時間と経費がかかるという問題がある。
【０００５】
本発明は、上記の点に鑑みなされたもので、搬送する物流品に付与する品目コードをＩＰアドレスに埋め込み、当該ＩＰアドレスが内蔵されたサーバタイプの通信機である物品管理装置を物流品に装着して、装着した物流品を管理するＩＰアドレスを使った物品管理サーバ及び運送物品管理装置及び物品管理装置及び物流管理システム及び方法を提供することを目的とする。
【０００６】
【課題を解決するための手段】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバであって、
各物流拠点が取り扱って送信した物流品の品目コードが埋め込まれたＩＰアドレスに対応付けられたデータを無線通信網により受信するＩＰアドレスデータ受信手段と、
受信したＩＰアドレスに対応付けられたデータを格納するＩＰアドレス／品目コードデータベースと、
ユーザ端末または、オペレータ端末から品目コードを受信する品目コード受信手段と、
受信した品目コードに基づいてＩＰアドレス／品目コードデータベースを検索して該品目コードに対応する物流品のＩＰアドレスを取得して、該ＩＰアドレスを物品情報取得要求として無線通信網に送信する物品情報取得要求送信手段と、
物品情報取得要求に対応する物品情報を取得して、ユーザ端末または、オペレータ端末に送信する物品情報送信手段と、を有する。
【０００７】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置であって、
ＧＰＳ衛星から位置情報を示す電波を受信する位置情報取得手段と、
位置情報取得手段で取得した位置情報を格納する位置情報データベースと、
物流品を搬送するときに、物流品に装着された物品管理装置と定期的に無線通信を行う通信手段と、
通信手段により、物流品の品目コードが埋め込まれたＩＰアドレスを取得するＩＰアドレス取得手段と、
ＩＰアドレス取得手段で取得したＩＰアドレスを格納する物品情報データベースと、
物品管理サーバから物流品確認の問い合わせであるＩＰアドレスによる物品情報取得要求を無線通信網を介して受信する物品情報取得要求受信手段と、
物品情報取得要求に含まれるＩＰアドレスに基づいて、物品情報データベースを検索して、受信したＩＰアドレスと一致するＩＰアドレスを取得するＩＰアドレス検索手段と、
位置情報データベースから物流品の位置情報を検索する位置情報検索手段と、
検索されたＩＰアドレスに埋め込まれている品目コードを物品情報に変換する変換手段と、
変換された物品情報及び、検索された位置情報を物品管理サーバに無線通信網を介して送信する物品情報送信手段と、を有する。
【０００８】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される物品管理装置であって、
搬送車両に物流品が積載される際に、入力された該物流品の品目コードをＩＰアドレスに埋め込むＩＰアドレス変換手段と、
ＩＰアドレスを格納する物品情報データベースと、
物流拠点が取り扱った物流品に対する物品情報取得要求のＩＰアドレスと物品情報データベースに格納されているＩＰアドレスが一致する場合に、該物品情報取得要求を受信する物品情報取得要求受信手段と、
ＩＰアドレスに埋め込まれている品目コードを物品情報に変換する物品情報変換手段と、
変換された物品情報を物品管理サーバに送信する物品情報送信手段と、からなる通信機であり、物流品に装着される。
【０００９】
図１は、本発明の原理構成図である。
【００１０】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理するための、物品管理サーバ２０、運送物品管理装置３０及び物品管理装置４０からなる物流管理システムであって、
物品管理サーバ２０は、
各物流拠点が取り扱って送信した物流品の品目コードが埋め込まれたＩＰアドレスに対応付けられたデータを受信するＩＰアドレスデータ受信手段２０６と、
受信したＩＰアドレスに対応付けられたデータを格納するＩＰアドレス／品目コードデータベース２０１と、
ユーザ端末または、オペレータ端末から品目コードを受信する品目コード受信手段２０７と、
受信した品目コードに基づいてＩＰアドレス／品目コードデータベース２０１を検索して該品目コードに対応する物流品のＩＰアドレスを取得して、該ＩＰアドレスを物品情報取得要求として無線通信網に送信する物品情報取得要求送信手段２０４と、
物品情報取得要求に対応する物品情報を取得して、ユーザ端末または、オペレータ端末に送信する物品情報送信手段２０８と、を有し、
運送物品管理装置３０は、
ＧＰＳ衛星から位置情報を示す電波を受信する位置情報取得手段３０３と、
位置情報取得手段３０３で取得した位置情報を格納する位置情報データベース３０１と、
物流品を搬送するときに、物流品に装着された物品管理装置と定期的に無線通信を行う通信手段３０５と、
通信手段３０５により、物流品の品目コードが埋め込まれたＩＰアドレスを取得するＩＰアドレス取得手段３０２と、
ＩＰアドレス取得手段３０２で取得したＩＰアドレスを格納する第１の物品情報データベース３００と、
物品管理サーバ２０から物流品確認の問い合わせであるＩＰアドレスによる物品情報取得要求を無線通信網を介して受信する物品情報取得要求受信手段３０７と、
物品情報取得要求に含まれるＩＰアドレスに基づいて、物品情報データベースを検索して、受信したＩＰアドレスと一致するＩＰアドレスを取得するＩＰアドレス検索手段３０９と、
位置情報データベース３０１から物流品の位置情報を検索する位置情報検索手段３１０と、
検索されたＩＰアドレスに埋め込まれている品目コードを物品情報に変換する変換手段３０８と、
変換された物品情報及び、検索された位置情報を物品管理サーバ２０に無線通信網を介して送信する物品情報送信手段３０４と、を有し、
物品管理装置４０は、
物流品が搬送車両に積載される際に、入力された物流品の品目コードをＩＰアドレスに埋め込むＩＰアドレス変換手段４０１と、
ＩＰアドレスを格納する第２の物品情報データベース４０２と、
物流拠点が取り扱った物流品に対する物品情報取得要求のＩＰアドレスと第２の物品情報データベース４０２に格納されているＩＰアドレスが一致する場合に、該物品情報取得要求を受信する物品情報取得要求受信手段４０７と、
ＩＰアドレスに埋め込まれている品目コードを物品情報に変換する物品情報変換手段４０５と、
変換された物品情報を物品管理サーバ２０に送信する物品情報送信手段４０８と、からなる通信機であり、各々の物流品に装着される。
【００１１】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおける物流管理方法において、
各物流拠点が取り扱って送信した物流品の品目コードが埋め込まれたＩＰアドレスに対応付けられたデータを無線通信網により受信し、
受信したＩＰアドレスに対応付けられたデータをＩＰアドレス／品目コードデータベースに格納し、
ユーザ端末または、オペレータ端末から品目コードを受信し、
受信した品目コードに基づいてＩＰアドレス／品目コードデータベースを検索して該品目コードに対応する物流品のＩＰアドレスを取得して、該ＩＰアドレスを物品情報取得要求として無線通信網に送信し、
物品情報取得要求に対応する物品情報を取得して、ユーザ端末または、オペレータ端末に送信する。
【００１２】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置における物流管理方法において、
ＧＰＳ衛星から位置情報を示す電波を受信し、
位置情報を位置情報データベースに格納し、
物流品を搬送するときに、物流品に装着された物品管理装置と定期的に無線通信を行い、物流品の品目コードが埋め込まれたＩＰアドレスを取得し、
取得したＩＰアドレスを物品情報データベースに格納し、
物品管理サーバから物流品確認の問い合わせであるＩＰアドレスによる物品情報取得要求を無線通信網を介して受信し、
物品情報取得要求に含まれるＩＰアドレスに基づいて、物品情報データベースを検索して、受信したＩＰアドレスと一致するＩＰアドレスを取得し、　位置情報データベースから物流品の位置情報を検索し、
検索されたＩＰアドレスに埋め込まれている品目コードを物品情報に変換し、
変換された物品情報及び、検索された位置情報を物品管理サーバに無線通信網を介して送信する。
【００１３】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該物流品に装着された物品管理装置における物流管理方法において、
搬送車両に物流品が積載される際に、入力された該物流品の品目コードをＩＰアドレスに埋め込み、
ＩＰアドレスを物品情報データベースに格納し、
物流拠点が取り扱った物流品に対する物品情報取得要求のＩＰアドレスと物品情報データベースに格納されているＩＰアドレスが一致する場合に、該物品情報取得要求を受信し、
ＩＰアドレスに埋め込まれている品目コードを物品情報に変換し、
変換された物品情報を物品管理サーバに送信する。
【００１４】
図２は、本発明の原理を説明するための図である。
【００１５】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバとオペレータ端末とにより管理する物流管理方法において、
物流管理装置において、物流品の品目コードをＩＰアドレスに対応付けて埋め込み（ステップ１）、
該品目コードが埋め込まれたＩＰアドレスを物品情報として、第１の物品情報データベースに蓄積し（ステップ２）、
ＩＰアドレスが蓄積された物品管理装置を、搬送する物流品に装着し（ステップ３）、
物品管理サーバにおいて、
無線通信網とインターネットとを接続し（ステップ４）、
各物流拠点が取り扱って送信した物流品の品目コードがＩＰアドレスに対応付けられたデータを無線通信網を介して受信して、ＩＰアドレス／品目コードデータベースに蓄積し（ステップ５）
オペレータ端末や、ユーザ端末から、予め通知されている品目コードを受信し（ステップ６）、
受信した品目コードからＩＰアドレス／品目コードデータベースを検索して、該品目コードに対応する物流品のＩＰアドレスを取得し（ステップ７）、
取得したＩＰアドレスを含む物品情報取得要求を無線通信網を介して物品管理装置に送出し（ステップ８）、
送出された物品情報取得要求のＩＰアドレスと一致するＩＰアドレスの物品管理装置において、該物品情報取得要求を受信し（ステップ９）、
受信したＩＰアドレスに基づいて、物品情報データベースを検索してＩＰアドレスを取得し（ステップ１０）、該ＩＰアドレスに埋め込まれている品目コードを物品情報に変換し（ステップ１１）、
変換された物品情報を物品管理サーバに送信し（ステップ１２）、
物品管理サーバにおいて、
物品情報を受信すると、オペレータ端末または、ユーザ端末に該物品情報を送信する（ステップ１３）。
【００１６】
また、本発明は、搬出車両に設置される運送物品管理装置において、
ＧＰＳ衛星から電波により受信した位置情報を位置情報データベースに蓄積し、
搬送車両に搭載した複数の物品管理装置と定期的に無線通信し、該複数の物品管理装置が蓄積している品目コードが埋め込まれたＩＰアドレスを入手し、
入手したＩＰアドレスを第２の物品情報データベースに蓄積し、
物品管理サーバから無線通信網を介してＩＰアドレスによる物品情報取得要求を受信し、
受信した物品情報取得要求のＩＰアドレスに基づいて第２の物品情報データベースを検索し、該ＩＰアドレスと一致するＩＰアドレスを取得し、
位置情報データベースに蓄積されている位置情報を取得し、
検索されたＩＰアドレスに埋め込まれている品目コードを物品情報に変換し、
変換された物品情報と位置情報を物品管理サーバに送信する。
【００１７】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおいて実行される物流管理プログラムであって、
各物流拠点が取り扱って送信した物流品の品目コードが埋め込まれたＩＰアドレスに対応付けられたデータを無線通信網により受信するステップと、
受信したＩＰアドレスに対応付けられたデータをＩＰアドレス／品目コードデータベースに格納するステップと、
ユーザ端末または、オペレータ端末から品目コードを受信するステップと、
受信した品目コードに基づいてＩＰアドレス／品目コードデータベースを検索して該品目コードに対応する物流品のＩＰアドレスを取得して、該ＩＰアドレスを物品情報取得要求として無線通信網に送信するステップと、
物品情報取得要求に対応する物品情報を取得して、ユーザ端末または、オペレータ端末に送信するステップと、からなる。
【００１８】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置において実行される物流管理プログラムであって、
ＧＰＳ衛星から位置情報を示す電波を受信するステップと、
位置情報を位置情報データベースに格納するステップと、
物流品を搬送するときに、物流品に装着された物品管理装置と定期的に無線通信を行い、物流品の品目コードが埋め込まれたＩＰアドレスを取得するステップと、
取得したＩＰアドレスを物品情報データベースに格納するステップと、
物品管理サーバから物流品確認の問い合わせであるＩＰアドレスによる物品情報取得要求を無線通信網を介して受信するステップと、
物品情報取得要求に含まれるＩＰアドレスに基づいて、物品情報データベースを検索して、受信したＩＰアドレスと一致するＩＰアドレスを取得するステップと、
位置情報データベースから物流品の位置情報を検索するステップと、
検索されたＩＰアドレスに埋め込まれている品目コードを物品情報に変換するステップと、
変換された物品情報及び、検索された位置情報を物品管理サーバに無線通信網を介して送信するステップと、からなる。
【００１９】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該物流品に装着された物品管理装置において実行される物流管理プログラムであって、
搬送車両に物流品が積載される際に、入力された該物流品の品目コードをＩＰアドレスに埋め込むステップと、
ＩＰアドレスを物品情報データベースに格納するステップと、
物流拠点が取り扱った物流品に対する物品情報取得要求のＩＰアドレスと物品情報データベースに格納されているＩＰアドレスが一致する場合に、該物品情報取得要求を受信するステップと、
ＩＰアドレスに埋め込まれている品目コードを物品情報に変換するステップと、
変換された物品情報を物品管理サーバに送信するステップと、からなる。
【００２０】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおいて実行される物流管理プログラムを格納した記憶媒体であって、
各物流拠点が取り扱って送信した物流品の品目コードが埋め込まれたＩＰアドレスに対応付けられたデータを無線通信網により受信するステップと、
受信したＩＰアドレスに対応付けられたデータをＩＰアドレス／品目コードデータベースに格納するステップと、
ユーザ端末または、オペレータ端末から品目コードを受信するステップと、
受信した品目コードに基づいてＩＰアドレス／品目コードデータベースを検索して該品目コードに対応する物流品のＩＰアドレスを取得して、該ＩＰアドレスを物品情報取得要求として無線通信網に送信するステップと、
物品情報取得要求に対応する物品情報を取得して、ユーザ端末または、オペレータ端末に送信するステップと、からなるプログラムを格納する。
【００２１】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該搬送車両に搭載される運送物品管理装置において実行される物流管理プログラムを格納した記憶媒体であって、
ＧＰＳ衛星から位置情報を示す電波を受信するステップと、
位置情報を位置情報データベースに格納するステップと、
物流品を搬送するときに、物流品に装着された物品管理装置と定期的に無線通信を行い、物流品の品目コードが埋め込まれたＩＰアドレスを取得するステップと、
取得したＩＰアドレスを物品情報データベースに格納するステップと、
物品管理サーバから物流品確認の問い合わせであるＩＰアドレスによる物品情報取得要求を無線通信網を介して受信するステップと、
物品情報取得要求に含まれるＩＰアドレスに基づいて、物品情報データベースを検索して、受信したＩＰアドレスと一致するＩＰアドレスを取得するステップと、
位置情報データベースから物流品の位置情報を検索するステップと、　検索されたＩＰアドレスに埋め込まれている品目コードを物品情報に変換するステップと、
変換された物品情報及び、検索された位置情報を物品管理サーバに無線通信網を介して送信するステップと、からなるプログラムを格納する。
【００２２】
本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバと無線通信網により接続され、該物流品に装着された物品管理装置において実行される物流管理プログラムを格納した記憶媒体であって、
搬送車両に物流品が積載される際に、入力された該物流品の品目コードをＩＰアドレスに埋め込むステップと、
ＩＰアドレスを物品情報データベースに格納するステップと、
物流拠点が取り扱った物流品に対する物品情報取得要求のＩＰアドレスと物品情報データベースに格納されているＩＰアドレスが一致する場合に、該物品情報取得要求を受信するステップと、
ＩＰアドレスに埋め込まれている品目コードを物品情報に変換するステップと、
変換された物品情報を物品管理サーバに送信するステップと、からなるプログラムを格納する。
【００２３】
上記のように、本発明では、ＩＰとしてＩＰｖ６を用い、ＩＰｖ６の中に、物品それぞれに付与した商品コードを埋め込んでおき、物品に関する問い合わせを行う際に、物品の現在ある場所の特定をインターネットを介してＩＰアドレスの通信のみで行うことが可能となる。
【００２４】
【発明の実施の形態】
以下、図面と共に本発明の実施の形態を説明する。
【００２５】
以下では、ＩＰとして、ＩＰｖ６を用いるものとして説明する。
【００２６】
図３は、本発明の一実施の形態におけるシステム構成図である。
【００２７】
同図に示すシステムは、ユーザ端末１、物流管理センタ２、搬送車両３、インターネット４、無線通信網６、及びＧＰＳ衛星７から構成される。
【００２８】
ユーザ端末１は、インターネット４と接続される。
【００２９】
物流管理センタ２は、インターネット４と無線通信網６へ接続するインタフェースを有する。物流管理センタ２は、各物流拠点（図示せず）において付与され、送信された物流品の品目コードがＩＰｖ６アドレスに対応付けされたデータを、無線通信網６より受信して蓄積している物品管理サーバ２０と、当該物品管理サーバ２０へ接続して搬送する物流品を管理するオペレータ端末２１とを有する。
【００３０】
搬送車両３は、無線通信網６へ接続するインタフェース及びＧＰＳ衛星７から電波を受信するインタフェースと、複数の物品管理装置４０、４１と無線通信するインタフェースとを有する運用物品管理装置３０を有する。
【００３１】
運送物品管理装置３０は、搬送車両３が物流拠点で品目コードをＩＰｖ６アドレスに対応付けして埋め込まれた複数の物品管理装置４０、４１を搭載した時には、複数の物流品へ装着された物品管理装置４０、４１との間で定期的に行う無線通信により対応したＩＰｖ６アドレスを受信し、受信した全物流品のＩＰｖ６アドレスを蓄積する。また、搬送する物流品の位置情報として、ＧＰＳ衛星７から搬送車両３の位置情報を受信して蓄積している。
【００３２】
また、物流管理センタ２の物品管理サーバ２０からの無線通信網６と運送物品管理装置３０からの無線通信網６とはインターネット４を介して通信される。
【００３３】
上記のシステムにおいて、ユーザ端末１または、オペレータ端末２１が物流品の問い合わせのために物流管理センタ２の物品管理サーバ２０へアクセスし、予め通知されている物流品の品目コードを送信する。
【００３４】
物品管理サーバ２０は、受信した物流品の品目コードを検索するとことにより対応するＩＰｖ６アドレスを取得すると、取得したＩＰｖ６アドレスによる物品情報取得要求として、無線通信網６へ送信する。
【００３５】
運送物品管理装置３０が、無線通信網６と接続されたインターネット４を介してＩＰｖ６アドレスによる物品情報取得要求を受信し、検索により、運送物品管理装置３０が蓄積しているＩＰｖ６アドレスと一致するＩＰｖ６アドレスを取得し、取得したＩＰｖ６アドレスに埋め込まれている品目コードを検索して物品情報へ変換し、変換された物品情報データと、検索により蓄積されている位置情報とを物品管理サーバ２０へ返信する。物品管理サーバ２０は、ユーザ端末１または、オペレータ端末２１に対して、これらの端末が画面上で問い合わせしている物流品の物品情報と位置情報を送信する。これにより、オペレータ端末２１及びユーザ端末１では、問い合わせている物流品の物品情報及び位置情報を取得することができる。
【００３６】
また、物流拠点（図示せず）で品目コードをＩＰｖ６アドレスに対応付けて埋め込まれた複数の物流品で例えば、物品管理装置４０が物流拠点にあるとき、ユーザ端末１または、オペレータ端末２１が物流品の問い合わせのために物流管理センタ２の物品管理サーバ２０にアクセスして物流品の品目コードを送信する。当該物品管理サーバ２０は、受信した物流品の品目コードを検索により対応するＩＰｖ６アドレスを取得し、取得したＩＰｖ６アドレスによる物品情報取得要求として無線通信網６へ送信し、無線通信網６と接続されたインターネット４を介して物流拠点にある物流品へ装着された物品管理装置４０へ送信される。受信したＩＰｖ６アドレスと一致するＩＰｖ６アドレスの物品管理装置４０は、ＩＰｖ６アドレスによる物品情報取得要求を受信し、物品管理装置４０において蓄積されているＩＰｖ６アドレスを送出し、送出したＩＰｖ６アドレスに埋め込まれている品目コードを物品情報へ変換し、変換された物品情報データを物品管理サーバ２０へ返信する。これにより、物品管理サーバ２０は、ユーザ端末１または、オペレータ端末２１に対して、当該物品情報データを送信することにより、これらの端末は、画面上で問い合わせている物流品の物品情報と物流拠点の情報とを入手できる。ここで、物品情報データには、物流品を置いている物流拠点コードを入れることも可能である。
【００３７】
次に、本発明のサービス概要を説明する。
【００３８】
図４は、本発明の一実施の形態におけるサービス概要を説明するための図である。以下のサービスは、搬送車両３で物流品を搬送している一例であり、ユーザ端末１または、オペレータ端末２１から物流管理センタ２へ物流品確認の問い合わせをした場合を示しており、以下の順序により物流品の情報を画面上から通知される。
【００３９】
なお、図４内の○内の番号と、以下の説明中の○内の番号は一致するものとする。
【００４０】
▲１▼　インターネット４を介して接続されているユーザ端末１または、物流管理センタ２に具備されているオペレータ端末２１がアクセスにより入手する画面上から品目コードを入力して、物品確認要求を物流管理サーバ２０に対して送信する。
【００４１】
▲２▼　物流管理センタ２の物流管理サーバ２０は、各物流拠点により付与された、搬送する物流品へ装着する物品管理装置４０への品目コードがＩＰｖ６アドレスに対応付けされたデータを無線通信網６より受信して蓄積し、受信するユーザ端末１または、オペレータ端末２１から受信した品目コードに基づいて検索し、ＩＰｖ６アドレスへ変換する。
【００４２】
▲３▼　変換したＩＰｖ６アドレスを送信元ＩＰｖ６アドレス：Ｙとし、宛先ＩＰｖ６アドレス：Ｘとする物品確認要求を無線通信網６よりインターネット４を介して搬送車両３へ送信する。
【００４３】
▲４▼　搬送車両３において、物品管理装置４０が装着された搬送対象の物流品が積載され、当該物品管理装置４０は、サーバとして動作してＩＰｖ６アドレス内に品目コードが内蔵された通信機であり、定期的にＩＰｖ６アドレス：Ｙを運送物品管理装置３０へ送信している。
【００４４】
▲５▼　搬送車両３は、運送物品管理装置３０を具備し、当該運用物品管理装置３０は、サーバとして動作し、搬送物品の品目コード情報を定期的に物品管理装置４０より受信してＩＰｖ６アドレス：Ｘとし、位置情報をＧＰＳ衛星７から電波を受信して蓄積している。
【００４５】
▲６▼　上記の▲３▼における物品確認要求により搬送車両３の運送物品管理装置３０は、応答して蓄積している位置情報や物品情報を物流管理センタ２へ送信する。▲７▼　物流品確認の問い合わせをしたユーザ端末１または、オペレータ端末２１は、物流管理センタ２の物品管理サーバ２０より位置情報や物品情報の応答情報を画面上へ通知される。
【００４６】
次に、物品管理サーバ２０の機能について説明する。
【００４７】
図５は、本発明の一実施の形態における物品管理サーバの構成図である。
【００４８】
物品管理サーバ２０は、Ｗｅｂサーバ２００、ＩＰアドレス／品目コードデータベース２０１、ＩＰアドレス／品目コード変換処理部２０２、オペレータ端末ＩＦ（インタフェース）処理部２０３、物品確認要求処理部２０４、アンテナＩＦ（インタフェース）処理部２０５から構成される。
【００４９】
Ｗｅｂサーバ２００は、ユーザ端末１からアクセスされるインターネット４を接続する。
【００５０】
ＩＰアドレス／品目コードデータベース２０１は、各物流拠点から送信される搬送する物流品へ装着する物品管理装置４０に付与された品目コード対応のＩＰアドレス情報を、無線通信網６より受信して記憶している。
【００５１】
オペレータ端末ＩＦ（インタフェース）処理部２０３は、オペレータ端末２１を接続する。
【００５２】
ＩＰアドレス／品目コード変換処理部２０２は、Ｗｅｂサーバ２００または、オペレータ端末ＩＦ処理部２０３から送信される品目コードを、ＩＰアドレス／品目コードデータベース２０１を検索して受信した品目コードと一致する品目コードに対応付けられたＩＰｖ６アドレスを取得したり、物品確認要求処理部２０４からの情報を、ＩＰアドレス／品目コードデータベース２０１へ蓄積するための処理を行う。
【００５３】
物品確認要求処理部２０４は、ＩＰアドレス／品目コード変換処理部２０２が取得した品目コードに対応付けられたＩＰｖ６アドレスによる物品情報取得要求やアンテナＩＦ処理部２０５からの情報を処理する。
【００５４】
アンテナＩＦ処理部２０５は、物品確認要求処理部２０４からのＩＰｖ６アドレスによる物品情報取得要求を無線通信網６へ送信したり、無線通信網６から情報を受信したりする。
【００５５】
次に、上記の構成における物品管理サーバ２０の動作を説明する。
【００５６】
図６は、本発明の一実施の形態における物品管理サーバ２０の動作のフローチャートである。
【００５７】
ステップ１０１）　物品管理サーバ２０は、アンテナＩＦ処理部２０５を無線通信網６と接続し、Ｗｅｂサーバ２００をインターネット４を接続する。
【００５８】
ステップ１０２）　アンテナＩＦ処理部２０５において、無線通信網６を介して各物流拠点から送信された取り扱った物流品の品目コードが埋め込まれたＩＰｖ６アドレスに対応付けられたデータを受信する。
【００５９】
ステップ１０３）　受信したデータをＩＰアドレス／品目コードデータベース２０１に蓄積する。
【００６０】
ステップ１０４）　予め通知されている品目コードを、オペレータ端末ＩＦ処理部２０３においてオペレータ端末２１または、Ｗｅｂサーバ２００においてユーザ端末１から受信する。
【００６１】
ステップ１０５）　ＩＰアドレス／品目コード変換処理部２０２は、受信した品目コードに基づいて、ＩＰアドレス／品目コードデータベース２０１を検索して、当該品目コードに対応する物流品のＩＰｖ６アドレスを取得する。
【００６２】
ステップ１０６）　物品確認要求処理部２０４において、取得した物流品のＩＰｖ６アドレスを物品情報取得要求として、アンテナＩＦ処理部２０５を介して無線通信網６へ送信する。
【００６３】
ステップ１０７）　物品情報取得要求は、無線通信網６及びインターネット４を介して、物流拠点にある物流品に装着された複数の物品管理装置４０（４１）に送信されることにより、物品管理サーバ２０は、当該物品情報取得要求のＩＰｖ６アドレスに一致するＩＰｖ６アドレスの物品管理装置４０（４１）からＩＰｖ６アドレスを受け取ると、ＩＰアドレス／品目コード変換処理部２０２において、ＩＰｖ６アドレスに埋め込まれている品目コードを物品情報データに変換する。
【００６４】
ステップ１０８）　変換された物品情報データをオペレータ端末ＩＦ処理部２０３からオペレータ端末２１へ、または、Ｗｅｂサーバ２００からユーザ端末１に送信する。
【００６５】
次に、運送物品管理装置３０について説明する。
【００６６】
図７は、本発明の一実施の形態における運送物品管理装置の構成図である。
【００６７】
同図に示す運送物品管理装置３０は、物品情報データベース３００、位置情報データベース３０１、物品情報取得部３０２、位置情報取得部３０３、物品確認要求処理部３０４、物品管理装置用アンテナＩＦ処理部３０５、ＧＰＳ用アンテナＩＦ処理部３０６、物品管理サーバ用アンテナＩＦ処理部３０７、物品情報変換処理部３０８から構成される。
【００６８】
物品情報データベース３００は、物品情報取得部３０２から送信された全物流品のＩＰｖ６アドレスの情報を蓄積する。
【００６９】
位置情報データベース３０１は、位置情報取得部３０３から送信された搬送車両３の位置情報を蓄積する。
【００７０】
物品情報取得部３０２は、物品管理装置用アンテナＩＦ処理部３０５から受信する複数の物品管理装置４０、４１から送信された品目コードに対応付けられたＩＰｖ６アドレスの情報を取得し、取得した情報を物品情報データベース３００に蓄積する。
【００７１】
位置情報取得部３０３は、ＧＰＳ用アンテナＩＦ処理部３０６から送信された搬送車両３の位置情報を位置情報データベース３０１へ蓄積する。
【００７２】
物品確認要求処理部３０４は、物品管理サーバ用アンテナＩＦ処理部３０７より受信する物品管理サーバ２０より送付されたＩＰｖ６アドレスにる物品情報取得要求の処理や物品情報変換処理部３０８から受信する物品情報を、物品管理サーバ用アンテナＩＦ処理部３０７へ送信する。
【００７３】
物品管理装置用アンテナＩＦ処理部３０５は、搬送車両３に積載された物流品へ装着した複数の物品管理装置４１、４１と定期的に無線通信する。
【００７４】
ＧＰＳ用アンテナＩＦ処理部３０６は、ＧＰＳ衛星７から搬送車両３の位置情報の電波を受信する。
【００７５】
物品管理サーバ用アンテナＩＦ処理部３０７は、無線通信網６により物品管理サーバ２０と物流品問い合わせの情報の送受信する。
【００７６】
物品情報変換処理部３０８は、物品確認要求処理部３０４から送信されたＩＰｖ６アドレスによる物品情報取得要求により、物品情報データベース３００を検索し、受信したＩＰｖ６アドレスと一致するＩＰｖ６アドレスを取得し、また、位置情報データベース３０１を検索して、積載されている物流品の位置情報である搬送車両３の位置情報を取得し、取得したＩＰｖ６アドレスを物品情報へ変換して位置情報と共に物品確認要求処理部３０４に送信する。
【００７７】
ここで、搬送車両３に積載されているＩＰｖ６アドレスが付与された物流品が配達先などへ届けられて無くなったときは、定期的な無線通信により物品情報データベース３００が蓄積している該当するＩＰｖ６アドレスがクリアされる。
【００７８】
次に、上記の運送物品管理装置の動作を説明する。
【００７９】
図８は、本発明の一実施の形態における運送物品管理装置の動作のフローチャートである。
【００８０】
ステップ２０１）　物品管理装置用アンテナＩＦ処理部３０５、ＧＰＳ用アンテナＩＦ処理部３０６及び物品管理サーバ用アンテナＩＦ処理部３０７を無線通信網６と接続する。
【００８１】
ステップ２０２）　ＧＰＳ用アンテナＩＦ処理部３０６において、ＧＰＳ衛星７から搬送車両３の位置情報を受信して、位置情報取得部３０３が、当該位置情報を位置情報データベース３０１に蓄積する。
【００８２】
ステップ２０３）　当該搬送車両３が物品管理装置４０（４１）を装着した物流品を搬送する場合に、物品管理装置用アンテナＩＦ処理部２０５において、当該物品管理装置４０（４１）と定期的に通信を行うことにより、物品情報取得部３０２において品目コードが埋め込まれたＩＰｖ６アドレスを取得する。
【００８３】
ステップ２０４）　物品情報取得部３０２は、当該ＩＰｖ６アドレスを物品情報データベース３００に蓄積する。
【００８４】
ステップ２０５）　ＩＰｖ６アドレスによる物品情報取得要求を物品管理サーバ用アンテナＩＦ処理部３０７で物品管理サーバ２０より受信する。
【００８５】
ステップ２０６）　物品情報変換処理部３０８は、受信した物品情報取得要求のＩＰｖ６アドレスに基づいて物品情報データベース３００を検索し、受信したＩＰｖ６アドレスと一致するＩＰｖ６アドレスを取得する。
【００８６】
ステップ２０７）　物品情報変換処理部３０８は、位置情報データベース３０１に蓄積されている位置情報を検索して、当該搬送車両３に搭載する物流品の位置情報を取得する。
【００８７】
ステップ２０８）　物品情報変換処理部３０８は、ステップ２０６で取得したＩＰｖ６アドレスに埋め込まれている品目コードを物品情報に変換する。
【００８８】
ステップ２０９）　物品確認要求処理部３０４は、物品管理サーバ用アンテナＩＦ用処理部３０７を介して、物品情報データ及び位置情報を物品管理サーバ２０に送信する。
【００８９】
次に、物品管理装置４０の構成について説明する。
【００９０】
図９は、本発明の一実施の形態における物品管理装置の構成図である。
【００９１】
同図に示す物品管理装置４０は、物品情報入力部４００、ＩＰアドレス変換部４０１、物品情報データベース４０２、物品情報取得部４０３、アンテナＩＦ処理部４０４、物品情報変換処理部４０５、物品確認要求処理部４０６、物品管理サーバ用アンテナＩＦ処理部４０７から構成される。
【００９２】
物品情報入力部４００は、搬送する物流品を取り扱う最初の物流拠点において、物流品へ装着する物品管理装置４０、４１へＩＰｖ６アドレスを付与するために品目コードを入力する。
【００９３】
ＩＰアドレス変換部４０１は、物品情報入力部４００に入力された品目コードをＩＰｖ６アドレスに対応付けし、品目コードが埋め込まれたＩＰｖ６アドレスの蓄積処理を行う。
【００９４】
物品情報データベース４０２は、ＩＰアドレス変換部４０１から送信された品目コードが埋め込まれたＩＰｖ６アドレスを蓄積する。
【００９５】
物品情報取得部４０３は、物品情報データベース４０２より蓄積しているＩＰｖ６アドレスを取得し、取得したＩＰｖ６アドレスを送信する。
【００９６】
アンテナＩＦ処理部４０４は、物品情報取得部４０３から受信したＩＰｖ６アドレスを無線通信により運送物品管理装置３０の物品管理装置用アンテナＩＦ処理部３０５に送信する。
【００９７】
物品管理サーバ用アンテナＩＦ処理部４０７は、無線通信網６により物品管理サーバ２０と物流品問い合わせの情報の送受信をする。但し、装着した物品管理装置の物流品が搬送車両３内に搭載されたときには機能しない。
【００９８】
物品確認要求処理部４０６は、物品管理サーバ用アンテナＩＦ処理部４０７より受信する物品管理サーバ２０より送信されたＩＰｖ６アドレスによる物品情報取得要求の処理や、物品情報変換処理部４０５から受信した物品情報を物品管理サーバ用アンテナＩＦ処理部４０７へ送信する。
【００９９】
物品情報変換処理部４０５は、物品確認要求処理部４０６から送信されたＩＰｖ６アドレスによる物品情報取得要求により、物品情報データベース４０２から取得したＩＰｖ６アドレスを物品情報へ変換して、物品確認要求処理部４０６へ送信する。
【０１００】
次に、上記の構成における物品管理装置４０の動作を説明する。
【０１０１】
図１０は、本発明の一実施の形態における物品管理装置の動作のフローチャートである。
【０１０２】
ステップ３０１）　物品情報入力部４００から物流品の品目コードが入力されると、ＩＰアドレス変換部４０１において、当該品目コードをＩＰｖ６アドレスに対応付けて埋め込む。
【０１０３】
ステップ３０２）　ＩＰアドレス変換部４０１は、品目コードが埋め込まれたＩＰｖ６アドレスを物品情報として物品情報データベース４０２に蓄積する。
【０１０４】
ステップ３０３）　アンテナＩＦ処理部４０４と物品管理サーバ用アンテナＩＦ処理部４０７を無線通信網６と接続する。このとき、物品管理サーバ２０においても、無線通信網６とインターネット４を接続するものとする。
【０１０５】
ステップ３０４）　物品管理サーバ用アンテナＩＦ処理部４０７において、物品管理サーバ２０からのＩＰｖ６アドレスによる物品情報取得要求を受信する。ステップ３０５）　物品確認要求処理部４０６は、受信した物品情報取得要求を物品情報変換処理部４０５に渡す。物品情報変換処理部４０５は、物品情報データベース４０２を受信したＩＰｖ６アドレスで検索し、当該ＩＰｖ６アドレスに一致するＩＰｖ６アドレスを取得する。
【０１０６】
ステップ３０６）　物品情報変換処理部４０５は、ＩＰｖ６アドレスから品目コードを抽出してして、物品情報データに変換する。
【０１０７】
ステップ３０７）　物品管理用アンテナＩＦ処理部４０７を介して、物品情報データを物品管理サーバ２０に送信する。
【０１０８】
次に、物流品に付与する物品バーコードをＩＰｖ６アドレスへ変換した場合について説明する。
【０１０９】
図１１は、本発明の一実施の形態における宅配便システムの物品バーコードからＩＰｖ６アドレスへの変換例を示す。
【０１１０】
ＩＰｖ６アドレス９０のデータフォーマットは、インターフェースＩＤ６４ビット個所へ従来使用している物品バーコード９１の１６進数情報を２進数へ変換後、一つの情報を４ビット対応にて埋め込まれ、また、サブネットＩＤ１６ビット個所へは、宅配便会社が適切な値を付与することができるが、例えば、搬送する物流品へＩＰｖ６アドレスを付与する物流拠点の営業所コードを指定した時には、物流品確認の問い合わせで置いている物流品の営業所名がわかる。
【０１１１】
次に、運送物品管理装置３０が搬送車両３に搭載する物流品へ装着した物品管理装置４０、４１に対して定期的に要求する物品情報取得要求の動作について説明する。
【０１１２】
図１２は、本発明の一実施の形態における運送物品管理装置が物品管理装置へ定期的に要求する物品情報取得要求時のシーケンスチャートである。
【０１１３】
運送物品管理装置３０より無線通信で物品情報取得要求を発行すると（ステップ４０１）、物品管理装置４０は、物品管理装置４０の物品情報データベース４０２が蓄積している搬送する全物品のＩＰｖ６アドレスを取得し（ステップ４０２）、取得したＩＰｖ６アドレスを物品情報取得応答として運送物品管理装置３０へ送信する（ステップ４０３）。運送物品管理装置３０は、受信した全物品のＩＰｖ６アドレスを更新して物品情報データベース３００に蓄積する（ステップ４０４）。
【０１１４】
次に、搬送車両３に物流品が搭載されている場合のオペレータ端末２１または、ユーザ端末１からの物品確認問い合わせの処理について説明する。
【０１１５】
図１３は、本発明の一実施の形態における所望の物品が搬送車両にある場合のオペレータ／ユーザからの物品確認要求時のシーケンスチャートである。
【０１１６】
運送物品管理装置３０は、予めＧＰＳ衛星７より位置情報を取得して（ステップ５０１）、運送物品管理装置３０の位置情報データベース３０１へ蓄積し、また、搭載する物品の全物品管理装置４０により定期的にＩＰｖ６アドレスを取得して（ステップ５０２）、運送物品管理装置３０の物品情報データベース３００へ蓄積している。
【０１１７】
オペレータ端末２１または、ユーザ端末１が物品確認問い合わせのために、物流管理センタ２の物品管理サーバ２０へ入手する画面上から品目コードによる物品情報交換要求をすると（ステップ５０３）、物品管理サーバ２０は、受信した品目コードによりＩＰアドレス／品目コードデータベース２０１を検索して、物品のＩＰｖ６アドレスを取得し（ステップ５０４）、物品管理サーバ２０から取得したＩＰｖ６アドレスによる物品情報取得要求を運送物品管理装置３０へ送信すると（ステップ５０５）、運送物品管理装置３０は、該当する宛先アドレスのＩＰｖ６アドレス物品が搬送車両３にあるか物品情報データベース３００を検索して（ステップ５０６）、ない場合には応答しない（ステップ５０７）。ある場合には、取得したＩＰｖ６アドレスを物品情報に変換し、運送物品管理装置３０から位置情報データベース３０１から取得する位置情報と物品情報とを物品情報取得応答により物品管理サーバ２０へ送信する（ステップ５０８）。
【０１１８】
物品管理サーバ２０は、受信した位置情報と物品情報とを物品情報取得応答によりオペレータ端末２１または、ユーザ端末１に送信する（ステップ５０９）。オペレータ端末２１または、ユーザ端末１は、位置情報と物品情報を入手して画面上に当該情報が表示される（ステップ５１０）。
【０１１９】
次に、物流品が搬送車両３になく、物流拠点にある場合のオペレータ端末２１または、ユーザ端末１からの物品確認問い合わせの処理について説明する。
【０１２０】
図１４は、本発明の一実施の形態における所望の物品が搬送車両にない場合のオペレータ／ユーザからの物品確認要求時のシーケンスチャートである。なお、以下では、オペレータ／ユーザは、予め宅配便会社から品目コードが通知されているものとする。
【０１２１】
オペレータ端末２１または、ユーザ端末１は、物品確認問い合わせのために、物流管理センタ２の物品管理サーバ２０へ入手する画面上から品目コードによる物品情報交換要求を発行すると（ステップ６０１）、物品管理サーバ２０は、受信する品目コードによりＩＰアドレス／品目コードデータベース２０１を検索して、物品のＩＰｖ６アドレスを取得し（ステップ６０２）、物品管理サーバ２０から取得したＩＰｖ６アドレスによる物品情報取得要求を物流拠点へ送信すると（ステップ６０３）、物流拠点にある複数の物品に装着された物品管理装置４０、４１が受信し、受信した宛先アドレスと一致するＩＰｖ６アドレスの物流品があるかを検索して（ステップ６０４）、ないときには応答しない（ステップ６０５）が、例えば、物品管理装置４０が該当するＩＰｖ６アドレスの時には、物品管理装置４０（４１）は、ＩＰｖ６アドレスを物品情報に変換し、変換後の物品情報を物品情報取得応答により物品管理サーバ２０へ送信し（ステップ６０６）、物品管理サーバ２０は、受信した物品情報を物品情報取得応答としてオペレータ端末２１または、ユーザ端末１へ送信し（ステップ６０７）、オペレータ端末２１または、ユーザ端末１は、画面上へ入手した物品情報を表示する（ステップ６０８）。
【０１２２】
次に、オペレータ端末２１とユーザ端末１が物品確認問い合わせたときに、物流管理センタ２から入手する画面について説明する。
【０１２３】
図１５は、本発明の一実施の形態における物流品確認画面と物流品応答画面の例である。
【０１２４】
物流品確認画面５０は、オペレータ端末２１とユーザ端末１が物品確認問い合わせのために物流管理センタ２の物品管理サーバ２０へアクセスしたときに入手する画面で、画面上の品目コード欄５０１へ予め宅配便会社から通知されている確認したい品目コードを入力し、入力後、検索開始キー５０２をクリックする。品目コードを入力後、他の品目コードへ変更したいときなどは、キャンセルキー５０３をクリックして最初から品目コードを再入力する。
【０１２５】
物流品応答画面６０は、物流品確認画面５０により物品確認の問い合わせを行った時のオペレータ端末２１とユーザ端末１が物流管理センタ２の物品管理サーバ２０から入手する応答画面であり、品目コード欄６０１には、問い合わせた品目コード番号が、品名欄６０２には、問い合わせた物品の品名が、宛先欄６０３には、問い合わせた物品を送付する宛先が、現在位置欄６０４には搬送する物品の位置情報または、物流拠点名が、到着予定時間欄６０５には問い合わせた物品が届けられる到着予定時間がそれぞれ通知され、物品確認の通信を終了するときには、通信ＯＦＦキー６０６をクリックする。
【０１２６】
なお、上記の実施の形態では、１つの搬送車両３に搭載されている物品管理装置は、物品管理層４０、４１の２つのみを示しているが、物品管理装置の数は、当該搬送車両３に搭載される物流品の数だけ存在する。
【０１２７】
また、上記の実施の形態における物品管理サーバ２０、運送物品管理装置３０、物品管理装置４０の構成要素をプログラムとして構築し、物品管理サーバ２０、運送物品管理装置３０、物品管理装置４０として利用されるコンピュータにインストールする、または、ネットワークを介して流通させることが可能である。また、構築されたプログラムを物品管理サーバ２０、運送物品管理装置３０、物品管理装置４０として利用されるコンピュータに接続されるハードディスク装置や、フレキシブルディスク、ＣＤ−ＲＯＭ等の可搬記憶媒体に格納しておき、本発明を実施する際に、コンピュータにインストールすることが可能である。
【０１２８】
なお、本発明は、上記の実施の形態に限定されることなく、特許請求の範囲内において、種々変更・応用が可能である。
【０１２９】
【発明の効果】
上述のように、本発明によれば、例えば、宅配便システムの場合には、最初の取扱営業所だけで品目コードを入力し、その情報が付与された通信機を搬送する物品に装着するだけでよく、途中の集荷拠点や配送営業所での作業が不要となり、物流コストの低減が可能となり、また、多数の物流品を積載されていても特定する物品を容易に確認ができ、物流管理センタのオペレータが物品や搬送依頼した一般ユーザは、対象とする物品と直接通信することにより、位置情報などもリアルタイムに取得できる。
【図面の簡単な説明】
【図１】本発明の原理構成図である。
【図２】本発明の原理を説明するための図である。
【図３】本発明の一実施の形態におけるシステム構成図である。
【図４】本発明の一実施の形態におけるサービス概要を説明するための図である。
【図５】本発明の一実施の形態における物品管理サーバの構成図である。
【図６】本発明の一実施の形態における物品管理サーバの動作のフローチャートである。
【図７】本発明の一実施の形態における運送物品管理装置の構成図である。
【図８】本発明の一実施の形態における運送物品管理装置の動作のフローチャートである。
【図９】本発明の一実施の形態における物品管理装置の構成図である。
【図１０】本発明の一実施の形態における物品管理装置の動作のフローチャートである。
【図１１】本発明の一実施の形態における宅配便システムの物品バーコードからＩＰｖアドレスへの変換例である。
【図１２】本発明の一実施の形態における運送物品管理装置が物品管理装置へ定期的に要求する物品情報取得要求時のシーケンスチャートである。
【図１３】本発明の一実施の形態における所望の物品が搬送車両にある場合のオペレータ／ユーザからの物品確認要求時のシーケンスチャートである。
【図１４】本発明の一実施の形態における所望の物品が搬送車両にない場合のオペレータ／ユーザからの物品確認要求時のシーケンスチャートである。
【図１５】本発明の一実施の形態における物流商品確認画面と物流品応答画面の例である。
【符号の説明】
１　ユーザ端末
２　物流管理センタ
３　搬送車両
４　インターネット
６　無線通信網
７　ＧＰＳ衛星
２０　物品管理サーバ
３０　運送物品管理装置
４０，４１　物品管理装置
５０　物流品確認画面
６０　物流品応答画面
９０　ＩＰｖ６アドレス
９１　物品バーコード
２０１　ＩＰアドレス／品目コードデータベース（ＤＢ）
２０２　ＩＰアドレス／品目コード変換処理部
２０３　オペレータ端末ＩＦ処理部
２０４　物品情報取得要求送信手段、物品確認要求処理部
２０５　アンテナＩＦ処理部
２０６　ＩＰアドレス受信手段
２０７　品目コード受信手段
２０８　物品情報送信手段
３００　第１の物品情報データベース（ＤＢ）
３０１　位置情報データベース（ＤＢ）
３０２　ＩＰアドレス取得手段，物品情報取得部
３０３　位置情報取得手段、位置情報取得部
３０４　物品情報送信手段、物品確認要求処理部
３０５　通信手段、物品管理装置用アンテナＩＦ処理部
３０６　ＧＰＳ用アンテナＩＦ処理部
３０７　物品情報取得要求受信手段、物品管理サーバ用アンテナＩＦ処理部
３０８　変換手段、物品情報変換処理部
３０９　ＩＰアドレス検索手段
４００　物品情報入力部
４０１　ＩＰアドレス変換手段、ＩＰアドレス変換部
４０２　第２の物品情報データベース（ＤＢ）
４０３　物品情報取得部
４０４　アンテナＩＦ処理部
４０５　物品情報変換手段、物品情報変換処理部
４０６　物品確認要求処理部
４０７　物品情報取得要求受信手段、物品管理サーバ用アンテナＩＦ処理部
４０８　物品情報送信手段
５０１　品目コード欄
５０２　検索開始キー
５０３　キャンセルキー
６０１　品目コード欄
６０２　品名欄
６０３　宛先欄
６０４　現在位置欄
６０５　到着予定時間欄
６０６　通信ＯＦＦ欄
【図１】
2004018238.tif 000003
【図２】
2004018238.tif 000004
【図３】
2004018238.tif 000005
【図４】
2004018238.tif 000006
【図５】
2004018238.tif 000007
【図６】
2004018238.tif 000008
【図７】
2004018238.tif 000009
【図８】
2004018238.tif 000010
【図９】
2004018238.tif 000011
【図１０】
2004018238.tif 000012
【図１１】
2004018238.tif 000013
【図１２】
2004018238.tif 000014
【図１３】
2004018238.tif 000015
【図１４】
2004018238.tif 000016
【図１５】
2004018238.tif 000017